(57)【要約】【課題】  試料が穿針具とセンサチップとの接合面に流れ込む可能性をなくして、測定成功率の向上が図れるバイオセンサカートリッジを得る。【解決手段】  穿刺用器具１１を先端部に突出させた穿刺具３１と、この穿刺具３１に一体的に取り付けられ試料を吸引する試料採取口を穿刺用器具１１の根元３３に近接して開口させたセンサチップ７と、このセンサチップ７を穿刺具３１とで挟持する受け部材３５と、を有するバイオセンサカートリッジ１００において、穿刺具３１とセンサチップ７との接合面を覆う位置に、試料の浸入を阻止する第１の突壁４７を突出形成した。【選択図】  図１
2009022674.tif 000002
【特許請求の範囲】
【請求項１】
先端部に穿刺用器具を有する穿刺具と受け部材との間に、先端部に試料採取口を開口させたセンサチップを挟持してなるバイオセンサカートリッジであって、
前記穿刺具の穿刺用器具の根元側と前記センサチップの試料採取口側との接合面を覆う位置に試料の浸入を阻止する第１の突壁を突出形成したことを特徴とするバイオセンサカートリッジ。
【請求項２】
前記受け部材と前記センサチップの試料採取口側との接合面を覆う位置に、試料の浸入を阻止する第２の突壁を突出形成したことを特徴とする請求項１に記載のバイオセンサカートリッジ。
【請求項３】
試料を前記試料採取口に導くための流路を形成する一対の横壁を、前記第１の突壁を挟みこむように突出形成したことを特徴とする請求項１又は請求項２に記載のバイオセンサカートリッジ。
【請求項４】
前記穿刺用器具を挿通させるとともに圧縮時に前記穿刺用器具を突出させる弾性体を、前記穿刺具及び前記受け部材の先端部に装着したことを特徴とする請求項１〜請求項３のいずれか１項に記載のバイオセンサカートリッジ。
【発明の詳細な説明】
【技術分野】
【０００１】
本発明は、先端に収容した試薬を用いて化学物質の測定や分析を行うバイオセンサカートリッジに関する。
【背景技術】
【０００２】
従来より、バイオセンサチップとランセットを一体化したバイオセンサが開示されている（例えば特許文献１参照）。この特許文献１に開示されたバイオセンサは、ランセットがチップ本体内の内部空間に移動可能に収納されており、使用時に、ランセットを押して針をチップ本体の前端部に形成された開口部から突出させる。この状態で被検体を穿刺した後、針をチップ本体内部に戻した状態で開口部を被検体の穿刺口に近づけて、流出した血液を採取する。
上記した従来のランセット一体型のセンサは、電極端子を測定装置に電気的に接続して血中成分のモニタリングを可能とする。例えば糖尿病の早期発見・悪化防止のために用いられるバイオセンサは、電極端子を測定装置に電気的に接続して血中成分のモニタリングを可能とする。この種のバイオセンサは、１日多数回の測定に利用されることからシンプルな構造が望ましい。しかし、特許文献１に記載されたランセット一体型センサは、ランセットがチップ本体内の内部空間を移動するため、複雑な穿刺機構により構造が複雑化している。（例えば特許文献１参照）。
【特許文献１】ＷＯ０２−０５６７６９号公報
【発明の開示】
【発明が解決しようとする課題】
【０００３】
そこで、本発明者等は、穿刺用器具の設けられた穿刺具と、センサチップとが一体化されていて、従来タイプのセンサに比べて格段にシンプルな構造のバイオセンサカートリッジを既に提案している。
図８は本発明者等の提案によるバイオセンサカートリッジの分解斜視図、図９は図８のバイオセンサカートリッジの斜視図、図１０は図９に示したバイオセンサカートリッジの正面図である。バイオセンサカートリッジ１は、穿刺具３と受け部材５とでセンサチップ７を挟持してなる。穿刺具３は、合成樹脂材料からなる略半円柱形状の穿刺具本体９の軸線方向前端に、穿刺用器具１１を軸線方向に突出してなる。また、受け部材５は、合成樹脂材料からなり、穿刺具３とで略円柱体を構成するような略半円柱形状に形成される。これら穿刺具３と受け部材５の双方の対向面は、受け部材５に形成された空気抜き穴５ａを除いて平坦面１３で形成され、この平坦面１３同士によってセンサチップ７が挟持される。空気抜き穴５ａは、後述する中空反応部２３に連通し、穿刺用器具１１に沿った受け部材５の軸線方向に延設されている。
【０００４】
センサチップ７は、互いに対向する２枚の基板１５，１７と、この基板間に挟装される不図示のスペーサ層を有している。２枚の基板１５，１７の少なくとも１枚の基板１７のスペーサ層側の表面には検知用電極１９，２１が設けられ、検知用電極１９，２１は前端部で互いに対向する方向へＬ宇状に曲げられて離間されている。センサチップ７の前端部には２つの検知用電極１９，２１が対向している部分にかけて、中空反応部２３が形成されている。中空反応部２３は、内部に試薬が設けられ、その前端には試料としての血液を導入する図９に示す試料採取口２５が形成されている。
【０００５】
このような構成を有するバイオセンサカートリッジ１は、穿刺具３の穿刺用器具１１で被検体を穿刺した後、前端に設けられている試料採取口２５を被検体の穿刺口に近づけて、流出した血液を採取する。
上記構成のバイオセンサカートリッジ１は、既述した従来のランセットが移動するタイプに比べ、穿刺用器具の移動機構を省略して格段にシンプルな構造を実現できる。
【０００６】
しかしながら、上記のバイオセンサカートリッジ１は、小板状のセンサチップ７を、穿刺具３と受け部材５とで挟持しているため、その前端面で、穿刺具３とセンサチップ７との間、及びセンサチップ７と受け部材５との間に、僅かながら隙間Ｓ１，Ｓ２（図１０参照）の生じることがある。このため、穿刺口から穿刺用器具１１を伝って流れた試料が、隙間Ｓ１，Ｓ２（特に穿刺用器具１１に近接する隙間Ｓ１）に流れ込み、限られた量の流出試料に不足が生じ、試料採取口２５に入り難くなる虞がある。特に、図示はしないが、バイオセンサカートリッジ１を減圧式採血機構が設けられている測定装置に装着し、減圧式採血機構の負圧によって試料を中空反応部２３に吸引する場合では、穿刺用器具１１を伝って流れた試料が、隙間Ｓ１，Ｓ２に流れ込む可能性がある。また、穿刺用器具１１を伝って流れた試料が、穿刺用器具１１の根元、すなわち、バイオセンサカートリッジ１の前端面２７で放射状に拡散し、試料採取口２５に入り難くなる虞もある。このような隙間Ｓ１，Ｓ２への試料の流れ込み、或いは前端面２７での放射状の拡散が発生すれば、限られた量の流出試料に不足が生じ、測定成功率を低下させる可能性があるため、さらに改良の余地がある。
本発明は上記状況に鑑みてなされたもので、その第１の目的は、流出試料が接合面に流れ込むことを防止できるバイオセンサカートリッジを提供し、もって、測定成功率の向上を図ることを目的とする。また、その第２の目的は、試料が穿刺針の根元で放射状に拡散しないバイオセンサカートリッジを提供し、もって、測定成功率の向上を図ることを目的とする。
【課題を解決するための手段】
【０００７】
本発明に係る上記目的は、下記構成により達成される。
（１）  先端部に穿刺用器具を有する穿針具と受け部材との間に、先端部に試料採取口を開口させたセンサチップを挟持してなるバイオセンサカートリッジであって、
前記穿刺具の穿刺用器具の根元側と前記センサチップの試料採取口側との接合面を覆う位置に試料の浸入を阻止する第１の突壁を突出形成したことを特徴とするバイオセンサカートリッジ。
【０００８】
このバイオセンサカートリッジによれば、穿刺具の穿刺用器具によって、被検体が穿刺されると、その穿刺口から流出する試料が、第１の突壁に当たる。したがって、穿刺具の穿刺用器具の根元側とセンサチップの試料採取口側との接合面に形成される隙間に流入する可能性があった試料が、第１の突壁に塞がれて接合面へ流れ込まなくなる。これにより、限られた量の流出試料が接合面に流れ込んでしまうことによる流出試料の不足が生じず、相当量の試料が試料採取口へ導かれて、試料の採取成功率が高まる。
【０００９】
（２）  前記受け部材と前記センサチップの試料採取口側との接合面を覆う位置に、試料の浸入を阻止する第２の突壁を突出形成したことを特徴とする（１）に記載のバイオセンサカートリッジ。
【００１０】
このバイオセンサカートリッジによれば、穿刺用器具の根元側とセンサチップの試料採取口側との接合面が第１の突壁によって覆われた構成において、さらに、センサチップの試料採取口と受け部材との接合面が第２の突壁によって覆われる。すなわち、穿刺具と受け部材とでセンサチップを挟持した三層構造では、センサチップの表裏に二箇所の接合面が存在する。本構成によれば、その両方が第１の突壁、第２の突壁によって覆われるので、限られた量の流出試料が接合面に流れ込んでしまうことによる無駄が全く生じず、試料の採取成功率がより高まる。
【００１１】
（３）  試料を前記試料採取口に導くための流路を形成する一対の横壁を、前記第１の突壁を挟みこむように突出形成したことを特徴とする（１）又は（２）に記載のバイオセンサカートリッジ。
【００１２】
このバイオセンサカートリッジによれば、穿刺具の穿刺用器具によって、被検体が穿刺されると、その穿刺口から流出する試料が、一対の横壁の間に導入される。したがって、試料が穿刺用器具の根元で被検体の穿孔面に沿って放射状に拡散しなくなる。これにより、流出試料が試料採取口へ入り易くなり、試料の採取成功率が高まる。
【００１３】
（４）  前記穿刺用器具を挿通させるとともに圧縮時に前記穿刺用器具を突出させる弾性体を、前記穿刺具及び前記受け部材の先端部に装着したことを特徴とする（１）〜（３）のいずれか１項に記載のバイオセンサカートリッジ。
【００１４】
このバイオセンサカートリッジによれば、弾性体が非圧縮時には穿刺用器具が弾性体内に収容される一方、弾性体が圧縮されると、その外表面から穿刺用器具の先端が突出され、被検体へ穿刺が可能となる。したがって、使用時にのみ穿刺用器具が突出され、非穿刺時には誤って使用者を傷付けないように穿刺用器具が弾性体によって保護される。また、被検体の穿孔部位に、穿刺用器具の突出していない弾性体を当接することで、穿刺口の位置決めを容易にすることができる。さらに、弾性体の外表面を被検体に密着させることで、弾性体の穿刺用器具挿通孔を介し、穿刺口から流出する試料を試料採取口へ導入し易くできる。これによっても、試料の採取成功率が高まる。
【発明の効果】
【００１５】
本発明に係るバイオセンサカートリッジによれば、先端部に穿刺用器具を有する穿刺具と受け部材との間に、先端部に試料採取口を開口させたセンサチップを挟持してなるバイオセンサカートリッジにおいて、穿刺具とセンサチップとの先端部の接合面を覆う位置に、試料の浸入を阻止する第１の突壁を突出形成したので、穿刺用器具によって穿刺した後、穿刺口から流出する試料が、第１の突壁に当たることで、穿刺具とセンサチップとの接合面に形成される隙間に試料が流れ込む虞がなくなる。この結果、限られた量の流出試料が接合面に流れ込んでしまうことによる流出試料の不足が生じず、相当量の試料が試料採取口へ導かれて流れ込み易くなる。この結果、測定成功率を向上させることができる。
【発明を実施するための最良の形態】
【００１６】
以下、本発明に係るバイオセンサカートリッジの好適な実施の形態を図面を参照して説明する。
図１は第１の実施の形態に係るバイオセンサカートリッジの斜視図、図２は図１に示したバイオセンサカートリッジの正面図、図３は図２の要部側面図である。なお、図８〜図１０に示した部材と同一の部材には同一の符号を付し、重複する説明は省略するものとする。
本実施の形態によるバイオセンサカートリッジ１００は、不図示の測定装置（ホルダ）に装填され、先端部に突出させた穿刺具３１の穿刺用器具針１１を被検体に穿刺して採取試料（例えば血液）を測定可能とする。このバイオセンサカートリッジ１００は、上記の血糖測定等に好適に用いることができる。
【００１７】
バイオセンサカートリッジ１００は、穿刺用器具針１１を先端部（前端部）の略中央部に突出させた穿刺具３１と、この穿刺具３１に一体的に取り付けられ試料を吸引する試料採取口２５を穿刺用器具１１の根元３３に近接して開口させたセンサチップ７と、このセンサチップ７を穿刺具３１で挟持する受け部材３５とを有して構成されている。穿刺用器具１１としては、例えば注射器のような中空の針の他、中実なランセット針やカニューレ等が挙げられる。
【００１８】
穿刺具３１は、合成樹脂材料からなる略半円柱形状の穿刺具本体９の軸線方向前端に、穿刺用器具１１を軸線方向に突出してなる。また、受け部材３５は、合成樹脂材料からなり、穿刺具３１とで略円柱体を構成するような略半円柱形状に形成される。これら穿刺具３１と受け部材３５の双方の対向面は図８に示したように受け部材３５に形成された空気抜き穴５ａを除いて略平坦面１３で形成され、この平坦面１３同士によってセンサチップ７が挟持され、略円柱形状となるバイオセンサカートリッジ１００を形成する。
【００１９】
センサチップ７は、互いに対向する２枚の基板１５，１７と、この基板１５，１７に挟装されるスペーサ層３７とを積層してなる。２枚の基板１５，１７の少なくとも１枚の基板１７のスペーサ層側の表面には検知用電極１９，２１が設けられており、検知用電極１９，２１の先端部は互いに対向する方向へＬ宇状に曲げられて離間されている（図８参照）。センサチップ７には、２つの検知用電極１９，２１が対向している部分にかけて、２枚の基板１５，１７及びスペーサ層３７の切欠きにより中空反応部２３（図８参照）が形成されている。この中空反応部２３の先端に、穿刺して採取した試料としての血液を導入する試料採取口２５が設けられている。
【００２０】
検知用電極１９，２１は、中空反応部２３において露出しており、中空反応部２３における検知用電極１９，２１の直上或いは近傍に、例えば酵素とメディエータを固定化し血液中のグルコースと反応して電流を発生する試薬が設けられている。つまり、中空反応部２３は、試料採取口２５から採取入された例えば血液等の試料が、試薬と生化学反応する部分となる。
【００２１】
基板１５，１７及びスペーサ層３７の材質としては、絶縁性材料のフィルムが選ばれ、絶縁性材料としては、セラミックス、ガラス、紙、生分解性材料（例えば、ポリ乳酸微生物生産ポリエステル等）、ポリ塩化ビニル、ポリプロピレン、ポリスチレン、ポリカーボネート、アクリル樹脂、ポリブチレンテレフタレート、ポリエチレンテレフタレート（ＰＥＴ）等の熱可塑性樹脂、エポキシ樹脂等の熱硬化樹脂、ＵＶ硬化樹脂等のプラスチック材料を例示することができる。機械的強度、柔軟性、及びチップの作製や加工の容易さ等から、ポリエチレンテレフタレート等のプラスチック材料が好ましい。代表的なＰＥＴ樹脂としては、メリネックスやテトロン（以上、商品名、帝人デュポンフィルム株式会杜製）、ルミラー（商品名、東レ株式会杜製）等が挙げられる。
【００２２】
試薬としては、例えばグルコースオキシダーゼ（ＧＯＤ）が挙げられる。また、検体の採血負担を考慮すると、中空反応部２３の容積は１μＬ（マイクロリットル）以下が好ましく、特に３００ｎＬ（ナノリットル）以下であることが好ましい。このような微小な中空反応部２３であると、穿刺具３１の直径は小さくても検体の充分な血液量が採取可能となる。また、穿刺用器具１１は、直径が１０００μｍ以下であることが好ましい。
【００２３】
穿針具３１の前端部に突出させた穿刺用器具１１の両側位置には一対の平行な横壁４１，４３が穿刺具３１に一体成形され、センサチップ７を上下に横断するように下方へ延びて受け部材３５の前端面３９上に張り出すようにして起立している。横壁４１，４３は、側面視四角形の小片状で形成され、先端下部が角部の除去された円弧状の面取り部（Ｒ部）４５となっている。上記の試料採取口２５は、この一対の横壁４１，４３の間で開口されている。すなわち、一対の横壁４１，４３は、その離間空間によって、試料を試料採取口２５に導くための流路５１を形成している。
なお、一対の横壁４１，４３は受け部材３５に一体成形された構成とすることもできる。
【００２４】
横壁４１，４３の上部には双方に連なって架けられた断面三角形の第１の突壁４７が形成され、第１の突壁４７は横壁４１，４３と一体成形される。第１の突壁４７は、横壁４１，４３の前方突出長より短く突出され、且つ穿刺用器具１１から試料採取口２５の直上に至って傾斜面とされた上下方向（図２の上下方向）の幅を有している。第１の突壁４７は、受け部材３５が穿刺具３１とでセンサチップ７を挟持した組立状態で、穿刺具３１の穿刺用器具１１の根元側とセンサチップ７の試料採取口２５側との接合面４９を覆う位置に配置される。つまり、第１の突壁４７は、接合面４９への試料の浸入を阻止するとともに、穿刺用器具１１を伝って流れた試料を、その傾斜面で流下させて試料採取口２５に導く。
なお、第１の突壁４７の形状は、上記の傾斜面を有した三角形状に限らず、図４に示すように、断面四角形の突壁４７ａ（ａ）や凸湾曲面を有する円弧形状の突壁４７ｂ（ｂ）や凹湾曲面を有する円弧形状の突壁４７ｃ（ｃ）等とすることもできる。
また、上記の実施の形態では、横壁４１，４３は、穿針具３１に一体成形されているとしたが、受け部材３５に一体成形された構成とすることもできる。
【００２５】
次に、このように構成されたバイオセンサカートリッジ１００の作用を説明する。
バイオセンサカートリッジ１００は、不図示の測定装置に装填されて、穿刺ボタンの操作によって測定装置より突出される。バイオセンサカートリッジ１００は、被検体と接触した際、穿刺の押圧により、穿刺用器具１１が測定装置の穿刺開口より突出して被検体を穿刺する。その後、測定装置に設けられた付勢手段の復元力により若干後退されることで、穿刺用器具１１が被検体から抜かれる。
【００２６】
穿刺用器具１１によって、被検体が穿刺されると、その穿刺口から流出する試料が、第１の突壁４７に当たる。したがって、従来、穿刺具３１とセンサチップ７との接合面４９に形成される隙間に流入する可能性があった試料が、第１の突壁４７に塞がれて接合面４９へ流れ込まなくなる。これにより、限られた量の流出試料が接合面４９に流れ込んでしまうことによる流出試料の不足が生じず、相当量の試料が試料採取口２５へ導かれて、試料の採取成功率が高まる。しかも、第１の突壁４７は、その傾斜面で試料を流下させて試料採取口２５へ導くので、試料の採取成功率を一層高めることができる。
【００２７】
また、穿刺具３１の穿刺用器具１１によって、被検体が穿刺されると、その穿刺口から流出する試料が、一対の横壁４１，４３の間に導入される。したがって、試料が穿刺用器具１１の根元３３で被検体の穿孔面に沿って放射状に拡散しなくなる。これにより、流出試料が流路５１を介して試料採取口２５へ入り易くなり、試料の採取成功率が高まる。
【００２８】
横壁４１，４３により挟まれる流路５１に流入した試料は、センサチップ７の先端に開口する試料採取口２５から中空反応部２３へと流入する。中空反応部２３に流入した試料が試薬と反応すると、電流が発生し、この電流が基板１７の検知用電極１９，２１を介して測定装置の計測手段に入力され、血液中の成分が計測されることとなる。
【００２９】
したがって、上記構成のバイオセンサカートリッジ１００によれば、穿刺具３１と受け部材３５との間にセンサチップ７を挟持してなり、穿刺具３１とセンサチップ７との接合面４９を覆う位置に、試料の浸入を阻止する第１の突壁４７を突出形成したので、穿刺具３１によって穿刺した後、穿刺口から流出する試料が、第１の突壁４７に当たることで、接合面４９に形成される隙間に試料が流れ込まなくなる。この結果、限られた量の流出試料が接合面に流れ込んでしまうことによる流出試料の不足が生じず、相当量の試料が試料採取口２５へ導かれて流れ込み易くなる。この結果、測定成功率を向上させることができる。
【００３０】
次に、本発明に係るバイオセンサカートリッジの第２の実施の形態について説明する。
図５は第２の実施の形態に係るバイオセンサカートリッジの正面図、図６は図５の要部側面図である。なお、以下の各実施の形態において図１〜図３に示した部材と同一の部材には同一の符号を付し重複する説明は省略する。
このバイオセンサカートリッジ２００は、受け部材５５とセンサチップ７との接合面５７を覆う先端部の位置に、試料の浸入を阻止する第２の突壁５９が突出形成されている。第２の突壁５９は、一対の横壁４１，４３の間に横架されてもよく、又は受け部材５５の上端から突出させて形成してもよい。本実施の形態では、受け部材５５の上端から上方及び前方へ突出して一体成形されている。
【００３１】
また、本実施の形態では、横壁４１，４３の上部に起立壁６１，６１が上方へ向けて延出されている。起立壁６１，６１は、その間に穿刺用器具１１を配置することで、穿刺用器具１１を伝って流入した試料を内方に囲み、周囲への放射方向の試料拡散を抑止する。つまり、穿刺用器具１１の周囲にも起立壁６１，６１によって挟まれた流路６３が形成されている。
【００３２】
したがって、本実施の形態によるバイオセンサカートリッジ２００によれば、穿刺具３１とセンサチップ７の試料採取口２５側との接合面４９が第１の突壁４７によって覆われた構成において、さらに、センサチップ７と受け部材５５との接合面５７が第２の突壁５９によって覆われる。すなわち、穿刺具３１と受け部材５５とでセンサチップ７を挟持した三層構造では、センサチップ７の表裏に二箇所の接合面４９，５７が存在する。本構成によれば、図６に示すように、その両方が第１の突壁４７、第２の突壁５９によって覆われるので、限られた量の流出試料Ｂが接合面４９，５７に流れ込んでしまうことによる無駄が全く生じず、試料Ｂの採取成功率をより高めることができる。
なお、第２の突壁５９は、第１の実施の形態での第１の突壁４７と同様、試料採取口２５に向かって傾斜した傾斜面を有する断面三角形とすることができる。これにより、流出試料Ｂを試料採取口２５により良好に導くことができる。
【００３３】
次に、本発明に係るバイオセンサカートリッジの第３の実施の形態について説明する。
図７は第３の実施の形態に係るバイオセンサカートリッジの要部側面図である。
バイオセンサカートリッジ１００，２００は、穿刺用器具１１を挿通させるとともに圧縮時に、穿刺用器具１１を外表面７１に突出させる略円柱形状の弾性体７３を、穿刺具３１及び受け部材３５（又は５５）の先端部に装着することが好ましい。以下、弾性体７３がバイオセンサカートリッジ１００に装着される場合を例に説明する。
【００３４】
弾性体７３は、バイオセンサカートリッジ１００の先端部を覆うように被着される。弾性体７３の外表面７１には凹部７５が形成され、凹部７５は中央底部に半球形状の膨出部７７を形成している。膨出部７７の中心には弾性体７３を貫通する貫通穴７９が穿設され、貫通穴７９は穿刺具３１の穿刺用器具１１を挿通させるため、穿刺用器具１１の外径より大きく形成されている。弾性体７３の軸線方向の寸法は、穿刺用器具１１の先端までを確実に覆うことができる長さとなっている。つまり、膨出部７７の開口７７ａ内に、穿刺用器具１１の先端が配置されている。
【００３５】
弾性体７３は、外表面７１の周壁部８１が、軸線方向の圧縮力によって潰れるように変形する。また、同様の圧縮力が作用した際に、膨出部７７も凹部７５の底面８３近傍まで潰れるように変形する。すなわち、この圧縮力が作用することにより、穿刺用器具１１が弾性体７３の外表面７１から相対的に突出されることとなる。この圧縮力は、上記した測定装置によって付与される被検体への押圧力によるものとすることができる。
【００３６】
弾性体７３の材質としては、弾性を有するものであれば特に限定されないが、シリコーン、ウレタン、アクリル、エチレン、スチレン等のポリマー単体若しくは共重合したポリマーからなるゴム若しくはスポンジ、ポリエチレン、及びポリプロピレン等のポリオレフィン、ポリエチレンテレフタレート及びポリブチレンテレフタレート等のポリエステル、ポリテトラフルオロエチレン及びパーフルオロアルコキシエチレンとポリフルオロエチレンの共重合体であるＰＦＡ等のフッ素樹脂などを利用できる。ゴム弾性体については、中実であっても良いし、中空であっても良い。
【００３７】
また、バイオセンサカートリッジ１００の先端部の形状は、弾性体７３の接着面の形状に対応しているものであり、先端部が平坦面となっていることが好ましい。例えば、バイオセンサカートリッジ１００の断面形状が円形状である場合には、バイオセンサカートリッジ１００の先端部外周に突起８５を設けて、弾性体７３の後端周壁の装着穴８７に係止可能な構造とすることが好ましい。
【００３８】
このような構成においては、先端部に設けられている弾性体７３とバイオセンサカートリッジ１００との接触面８９が、同一形状に形成できるので、弾性体７３を密着させて取り付けることができ、弾性体７３に圧縮力が作用した際に、外れたり、ずれたりするのを防止することができる。これに加え、弾性体７３とバイオセンサカートリッジ１００との接触面８９における密着性を高めることができるので、毛管現象による試料の流失も防止することが可能となる。
【００３９】
また、弾性体７３の被検体に接する面である外表面７１は、粘着剤でコーティングされるか、又は粘着性を有するシリコーン、シリコーンのゲル等の材料で構成されていることが望ましい。これにより、弾性体７３と被検体との密着性を向上させることができる。また、貫通穴７９の内周面は、親水性の材料を用いるか、若しくは少なくとも内周面を親水処理することが望ましい。また、弾性体７３は、バイオセンサカートリッジ１００と共に測定装置の装填室に装填されるので、スムーズな移動が可能となる円滑な外周面７３ａで形成されることが好ましい。
【００４０】
本実施の形態によれば、弾性体７３の非圧縮時には穿刺用器具１１が弾性体７３内に収容される一方、外表面７１を押圧する方向に弾性体７３が圧縮されると、その外表面７１から穿刺用器具１１の先端が突出され、被検体へ穿刺が可能となる。これにより、使用時にのみ穿刺用器具１１が突出され、非穿刺時には誤って使用者を傷付けないように穿刺用器具１１が弾性体７３によって保護される。また、被検体の穿孔部位に、穿刺用器具１１の突出していない弾性体７３を当接することで、穿刺口の位置決めを容易にすることができる。さらに、弾性体７３の外表面７１を被検体に密着させることで、弾性体７３の穿刺用器具挿通孔（貫通穴７９）を介し、穿刺口から流出する試料を試料採取口２５へ導入し易くできる。これによっても、試料の採取成功率を高めることができる。
【図面の簡単な説明】
【００４１】
【図１】第１の実施の形態に係るバイオセンサカートリッジの斜視図である。
【図２】図１に示したバイオセンサカートリッジの正面図である。
【図３】図２の要部側面図である。
【図４】（ａ）〜（ｃ）は第１の突壁の各変更例を示す側面図である。
【図５】第２の実施の形態に係るバイオセンサカートリッジの正面図である。
【図６】図５の要部側面図である。
【図７】第３の実施の形態に係るバイオセンサカートリッジの要部側面図である。
【図８】従来のバイオセンサカートリッジの分解斜視図である。
【図９】従来のバイオセンサカートリッジの斜視図である。
【図１０】図９に示したバイオセンサカートリッジの正面図である。
【符号の説明】
【００４２】
７  センサチップ
１１  穿刺用器具
２５  試料採取口
３１  穿刺具
３３  穿刺用器具の根元
３５，５５  受け部材
４１，４３  一対の横壁
４７  第１の突壁
４９  穿刺具とセンサチップとの接合面
５１，６３  流路
５７  受け部材とセンサチップとの接合面
５９  第２の突壁
７１  外表面
７３  弾性体
１００，２００  バイオセンサカートリッジ
Ｂ  試料
【図１】
2009022674.tif 000003
【図２】
2009022674.tif 000004
【図３】
2009022674.tif 000005
【図４】
2009022674.tif 000006
【図５】
2009022674.tif 000007
【図６】
2009022674.tif 000008
【図７】
2009022674.tif 000009
【図８】
2009022674.tif 000010
【図９】
2009022674.tif 000011
【図１０】
2009022674.tif 000012